(57)【要約】【課題】各機器における冷却効率を高めることができ、また配線作業を簡易化することのできるラックマウントシステム、ラックマウント、および機器を提供することを目的とする。【解決手段】ラックマウントシステム１０においては、ラックレール２１を支持ガイドレール１３上に載せた状態で、機器２０を、ラックマウント１１の後方に向けて押し込むと、機器２０の側面２０ｃに設けられた機器側端子２２Ａ、２２Ｂ、２２Ｃと、ラックマウント１１側に設けられたラック側端子３１Ａ、３１Ｂ、３１Ｃとを接触させ、電気的に接続させる。また、ケーブルは、ラックマウント１１のサイドフレーム１１ａに沿わせて配線し、配線が各機器２０の背面側からの排気の妨げになることなく、機器２０の冷却効率を高める。【選択図】図２
2010073039.tif 000002
【特許請求の範囲】
【請求項１】
箱状の機器と、
前記機器を上下に複数段にわたって積層状態に収容するラックマウントと、を備えるラックマウントシステムであって、
前記機器は、
その両側面に設けられて、前後方向に延びるラックレールと、
前記機器の側面の定められた位置に設けられた機器側端子と、を備え、
前記ラックマウントは、
上下に間隔を隔てて複数段に設けられ、前記ラックマウントの前後方向に延びて前記ラックレールをスライド自在に支持する支持ガイドレールと、
前記ラックレールを前記支持ガイドレールに沿ってスライドさせて前記ラックマウントに前記機器を収容した状態で、前記機器側端子と対向する位置に設けられたラック側端子と、
前記ラック端子に一端が接続されたケーブルと、を備えることを特徴とするラックマウントシステム。
【請求項２】
前記機器側端子、前記ラック側端子、及び前記ケーブルは、少なくとも前記機器に対する電源供給用、信号入出力用であることを特徴とする請求項１に記載のラックマウントシステム。
【請求項３】
前記ケーブルは、前記ラックマウントの側面に沿って配線されていることを特徴とする請求項１または２に記載のラックマウントシステム。
【請求項４】
前記機器は、前記ラックマウントの前面側から吸気し、背面側から排気することで、前記機器内を冷却することを特徴とする請求項３に記載のラックマウントシステム。
【請求項５】
前記ラック側端子は、箱状の端子ボックス内に収容され、
前記端子ボックスには、前記ラック側端子を覆うカバーが、前記支持ガイドレールに沿った方向に移動可能に設けられ、
前記ラックレールを前記支持ガイドレールに沿ってスライドさせて前記ラックマウントに前記機器を押し込んだときに、前記機器の一部により押圧されて前記カバーが開いて前記ラック側端子が露出することを特徴とする請求項１から４のいずれかに記載のラックマウントシステム。
【請求項６】
箱状の機器を上下に複数段にわたって積層状態に収容するラックマウントであって、
上下に間隔を隔てて複数段に設けられ、前記ラックマウントの前後方向に延び、前記機器をスライド自在に支持する支持ガイドレールと、
前記支持ガイドレールに沿って前記機器をスライドさせて前記ラックマウントに収容した状態で、前記機器の側面に設けられた機器側端子と対向する位置に設けられ、前記機器側端子と電気的に接続されることで前記機器に電源供給および信号の入出力を行うラック側端子と、
前記ラック端子に一端が接続され、前記ラックマウントの側面に沿って配線されたケーブルと、
を備えることを特徴とするラックマウント。
【請求項７】
ラックマウントに上下に複数段にわたって積層状態に収容される機器であって、
前記機器は、
その両側面に設けられて、前後方向に延びるラックレールと、
前記機器の側面の定められた位置に設けられ、前記ラックマウントに前記機器を収容したときに、前記ラックマウントの側面に設けられたラック側端子に電気的に接続される機器側端子と、を備えることを特徴とする機器。
【発明の詳細な説明】
【技術分野】
【０００１】
本発明は、多数の電子計算機等の機器を収容するラックマウントシステム、ラックマウント及びラックマウントに搭載される機器に関するものである。
【背景技術】
【０００２】
データセンタ等の多数の電子計算機を利用する部門などにおいて、設置面積の効率化、管理の効率化等を目的として、電子計算機をラックマウントに搭載して設置する、ラックマウントシステムが用いられている（例えば、特許文献１参照。）。
【０００３】
図６に示すように、ラックマウントシステム１では、電子計算機等の様々な機器２を、幅と高さを統一した規格にすることで、様々な機器２を１台のラックマウント３に搭載する。このとき、機器２をラックマウント３に高密度で搭載できるよう、図７に示すように、各機器２は、上面２ａ及び下面２ｂを平面で構成し、両側面２ｃ、２ｄはラックマウント３に搭載するためのレール４のみが取り付け可能とされ、その他にはなるべく凹凸の無いように成形されている。そして、ラックマウント３に搭載した状態で、各機器２は、状態表示の確認、基本的な操作等は、ラックマウント３の前面側のみで行えるようになっている。また、各機器２への電力供給および通信用の配線は、各機器２の背面２ｈに接続されている。
【特許文献１】特開２００７−３２４４２７号公報
【発明の開示】
【発明が解決しようとする課題】
【０００４】
近年、電子計算機の処理能力向上に比例して、各機器２における消費電力も増大しており、各機器２から発生する熱を如何に効率よく排出するかが課題となってきている。
ラックマウントシステム１においては、各機器２の冷却方法を、前面より外気を取り込み、背面２ｈへ排気する方式に統一することで、冷却の効率を高めている。
その一方で、ラックマウントシステム１においては、前記したように、電力供給および通信用のケーブル５、６のコネクタ７、８が各機器２の背面２ｈに集中する形となるため、多数のケーブル５、６がラックマウント３の背面側に配線されている。その結果、各機器２の排気側に多数のケーブル５、６が存在することとなり、各機器２の背面２ｈからの排気による放熱効率を妨げてしまっている。
【０００５】
また、各機器２をラックマウント３に搭載する際には、多数のケーブル５、６を配線、接続しなければならず、この配線作業に多大な手間がかかっており、この点においても改善が望まれている。
【０００６】
本発明は、このような事情に鑑みてなされたものであって、各機器における冷却効率を高めることができ、また配線作業を簡易化することのできるラックマウントシステム、ラックマウント、および機器を提供することを目的とする。
【課題を解決するための手段】
【０００７】
かかる目的のもとになされた本発明のラックマウントシステムは、箱状の機器と、機器を上下に複数段にわたって積層状態に収容するラックマウントと、を備えるラックマウントシステムであって、機器は、その両側面に設けられて、前後方向に延びるラックレールと、機器の側面の定められた位置に設けられた機器側端子と、を備え、ラックマウントは、上下に間隔を隔てて複数段に設けられ、ラックマウントの前後方向に延びてラックレールをスライド自在に支持する支持ガイドレールと、ラックレールを支持ガイドレールに沿ってスライドさせてラックマウントに機器を収容した状態で、機器側端子と対向する位置に設けられたラック側端子と、ラック端子に一端が接続されたケーブルと、を備えることを特徴とする。
【０００８】
本発明のラックマウントは、箱状の機器を上下に複数段にわたって積層状態に収容するラックマウントであって、上下に間隔を隔てて複数段に設けられ、ラックマウントの前後方向に延び、機器をスライド自在に支持する支持ガイドレールと、支持ガイドレールに沿って機器をスライドさせてラックマウントに収容した状態で、機器の側面に設けられた機器側端子と対向する位置に設けられ、機器側端子と電気的に接続されることで機器に電源供給および信号の入出力を行うラック側端子と、ラック端子に一端が接続され、ラックマウントの側面に沿って配線されたケーブルと、を備えることを特徴とする。
【０００９】
本発明の機器は、ラックマウントに上下に複数段にわたって積層状態に収容される機器であって、機器は、その両側面に設けられて、前後方向に延びるラックレールと、機器の側面の定められた位置に設けられ、ラックマウントに機器を収容したときに、ラックマウントの側面に設けられたラック側端子に電気的に接続される機器側端子と、を備えることを特徴とする。
【発明の効果】
【００１０】
本発明のラックマウントシステム、ラックマウント、機器によれば、機器をラックマウントに搭載する際、ラックレールを支持ガイドレールに沿ってスライドさせてラックマウントに機器を押し込んでいくのみで、ケーブルをわざわざ配線することなく、機器側端子とラック側端子とを電気的に接続できる。したがって、ケーブルの配線作業を簡易化することができる。
このとき、ケーブルを、ラックマウントの側面に沿って配線しておけば、配線作業の簡易化が図れる。
また、ケーブルを、ラックマウントの側面に沿って配線しておけば、ケーブルが排気の邪魔になることなく、機器は、ラックマウントの前面側から吸気し、背面側から排気することで、機器内を効率よく冷却することができる。
【発明を実施するための最良の形態】
【００１１】
以下に、本発明にかかる実施形態について、図面を参照して説明する。
図１、図２に示すように、ラックマウントシステム１０は、ラックマウント１１に、複数の機器２０が搭載可能とされている。
【００１２】
ラックマウント１１は、箱状をなしており、その前後に対向する面が開放されている。また、ラックマウント１１の両側のサイドフレーム１１ａ、１１ａには、ラックマウント１１に搭載する機器２０を支持するための支持ガイドレール１３が、上下に予め定められた間隔を隔てて複数段に設けられている。
【００１３】
一方、各機器２０は、図３に示すように箱状をなしており、その上下寸法、幅寸法が、予め定められた規格に基づいて設定されている。各機器２０は、上面２０ａ及び下面２０ｂが平面で構成され、両側面２０ｃ、２０ｄにはラックマウント１１に搭載するためのラックレール２１が、前後方向に連続して設けられている。図２に示したように、両側のラックレール２１を、ラックマウント１１の支持ガイドレール１３上に載せることで、各機器２０はラックマウント１１に搭載される。ラックマウント１１に搭載された状態で、各機器２０は、状態表示の確認、基本的な操作等は、ラックマウント１１の前面２０ｆ側のみで行えるようになっている。
また、機器２０は、内蔵されたファン等により、前面２０ｆ側から吸気し、背面２０ｈ側から排気することで、内部の冷却を行うことができる。
【００１４】
また、各機器２０の側面２０ｃには、当該機器２０に電源供給および信号の入出力を行うための機器側端子２２Ａ、２２Ｂ、２２Ｃが設けられている。これら機器側端子２２Ａ、２２Ｂ、２２Ｃは、機器２０の側面２０ｃから側方に突出して設けられている。これらの機器側端子２２Ａ、２２Ｂ、２２Ｃは、予め定められた規格に基づいた位置に配置され、ラックレール２１の下面から所定寸法下方であり、機器２０の前面２０ｆから所定寸法だけ後方に奥まった位置に配置されている。
電源供給用、信号入出力用の機器側端子２２Ａ、２２Ｂ、２２Ｃの配列は、予め定められた配列に基づいている。なお、機器側端子の数や種類は、何ら限定する意図はなく、適宜変更することが可能であり、また電源供給用、信号入出力用以外の端子を設けることも可能である。
【００１５】
また、ラックマウント１１のサイドフレーム１１ａには、各段の支持ガイドレール１３で支持する機器２０に対し、電源供給および信号の入出力を行うためのラック側端子３１Ａ、３１Ｂ、３１Ｃが設けられている。ラック側端子３１Ａ、３１Ｂ、３１Ｃは、電源供給や信号の入出力を行うためのケーブル（図示無し）の一端に設けられている。ラック側端子３１Ａ、３１Ｂ、３１Ｃに接続されたケーブルは、サイドフレーム１１ａに沿って、あるいはサイドフレーム１１ａの内部空間を通して、上下方向に配線されている。
電源供給用、信号入出力用のラック側端子３１Ａ、３１Ｂ、３１Ｃの配列は、機器側端子２２Ａ、２２Ｂ、２２Ｃと対応したものとなっている。
これらのラック側端子３１Ａ、３１Ｂ、３１Ｃは、予め定められた規格に基づいた位置に配置され、支持ガイドレール１３の上面から所定寸法下方であり、かつラックマウント１１の前面側の基準位置から所定寸法の奥まった位置に配置されている。これにより、機器２０を、ラックマウント１１の支持ガイドレール１３上に載せてラックマウント１１にセットした状態で、機器側端子２２Ａ、２２Ｂ、２２Ｃと、ラック側端子３１Ａ、３１Ｂ、３１Ｃとが対向して接触し、電気的に接続される。
【００１６】
図４、図５に示すように、ラック側端子３１Ａ、３１Ｂ、３１Ｃは、ラックマウント１１のサイドフレーム１１ａに設けられた端子ボックス３０に収容するのが好ましい。
端子ボックス３０には、ラック側端子３１Ａ、３１Ｂ、３１Ｃを覆うカバー３２が設けられている。このカバー３２は、ラックレール２１に沿った方向に移動自在に設けられている。図４（ａ）、図５（ａ）に示すように、カバー３２は、ラック側端子３１Ａ、３１Ｂ、３１Ｃを使用しない状態、つまり機器２０を収容しない状態や、側面に機器側端子２２Ａ、２２Ｂ、２２Ｃを備えない他の機器を収容する場合においては、閉状態を維持するよう、図示しない付勢部材により、カバー３２を閉じる方向（前方）に付勢しておくのが好ましい。
そして、図４（ｂ）、図５（ｂ）に示すように、ラック側端子３１Ａ、３１Ｂ、３１Ｃを使用するときに、カバー３２を開くようにする。このため、端子ボックス３０には、カバー３２の移動方向に平行なスリット３３が形成されており、前記のカバー３２と一体的に設けられたレバー３２ａが、このスリット３３内に突出している。
一方、機器２０の側面２０ｃには、ラックレール２１を支持ガイドレール１３上に載せた状態で前記のスリット３３に対向する高さに、爪部材３４が設けられている。図４（ｂ）、図５（ｂ）に示したように、ラックレール２１を支持ガイドレール１３上に載せた状態で、機器２０を、ラックマウント１１の後方に向けて押し込むと、機器２０は、支持ガイドレール１３に沿ってスライドしていき、爪部材３４が、端子ボックス３０のスリット３３に入り込む。そして、スリット３３内で爪部材３４が前記のレバー３２ａを押すと、カバー３２が後方にスライドし、ラック側端子３１Ａ、３１Ｂ、３１Ｃが露出する。
【００１７】
このようなラックマウントシステム１０においては、ラックレール２１を支持ガイドレール１３上に載せた状態で、機器２０をラックマウント１１の後方に向けて押し込むと、機器側端子２２Ａ、２２Ｂ、２２Ｃと、ラック側端子３１Ａ、３１Ｂ、３１Ｃとが接触し、電気的に接続される。これにより、図示しないケーブルを介して、機器２０に対する電源供給、信号入出力が自動的に行える。また、ケーブルは、サイドフレーム１１ａに沿わせてラックマウント１１に予め配線しておくことができる。したがって、機器２０をラックマウント１１に搭載するときには、機器２０をラックマウント１１に押し込みさえすればよく、煩雑な配線作業を行う必要が無く、その手間を大幅に省くことができる。
【００１８】
また、機器２０の側面２０ｃにおいて電気的な接続を行い、さらにケーブルを、ラックマウント１１のサイドフレーム１１ａに沿わせて配線することで、配線が各機器２０の背面２０ｈ側からの排気の妨げになることもなく、機器２０の冷却効率を高めることができる。
【００１９】
加えて、機器２０の側面に機器側端子２２Ａ、２２Ｂ、２２Ｃを設けることで、機器２０の奥行き寸法に関わらず、広く本発明を適用できるという利点もある。
【００２０】
さらに、ラック側端子３１Ａ、３１Ｂ、３１Ｃが設けられた端子ボックス３０にはカバー３２が設けられており、ラック側端子３１Ａ、３１Ｂ、３１Ｃを使用しない状態では、カバー３２によりラック側端子３１Ａ、３１Ｂ、３１Ｃが覆われており、使用時に機器２０をラックマウント１１の後方に向けて押し込むと、カバー３２が自動的に開いてラック側端子３１Ａ、３１Ｂ、３１Ｃが露出するようになっている。これにより、不使用時にラック側端子３１Ａ、３１Ｂ、３１Ｃが損傷したり埃がついたりするのを防止できる。
【００２１】
なお、上述した実施形態では、ラックマウントシステム１０の構成について説明したが、本発明の主旨を逸脱しない範囲内であれば、各部の構成を適宜変更することができる。
また、ラック側端子３１Ａ、３１Ｂ、３１Ｃを収容する端子ボックス３０の例を示したが、その形状や構成は何ら限定するものではなく、不使用時にラック側端子３１Ａ、３１Ｂ、３１Ｃを覆い、使用時にラック側端子３１Ａ、３１Ｂ、３１Ｃを露出させることができるのであれば、上記に示した以外のいかなる構成を採用しても良い。
【図面の簡単な説明】
【００２２】
【図１】本発明の実施形態にかかるラックマウントシステムを背面側から見た状態の斜視図である。
【図２】ラックマウントに機器を収容した状態を示す立面図である。
【図３】ラックマウントに収容される機器を背面側から見た状態の斜視図である。
【図４】端子ボックスの一例を示す斜視図である。
【図５】図４に示した端子ボックスの側面図である。
【図６】従来のラックマウントシステムを背面側から見た状態の斜視図である。
【図７】従来の機器を背面側から見た状態の斜視図である。
【符号の説明】
【００２３】
１０  ラックマウントシステム
１１  ラックマウント
１１ａ  サイドフレーム
１３  支持ガイドレール
２０  機器
２０ｃ  側面
２０ｆ  前面
２０ｈ  背面
２１  ラックレール
２２Ａ、２２Ｂ、２２Ｃ  機器側端子
３０  端子ボックス
３１Ａ、３１Ｂ、３１Ｃ  ラック側端子
３２  カバー
３４  爪部材
【図１】
2010073039.tif 000003
【図２】
2010073039.tif 000004
【図３】
2010073039.tif 000005
【図４】
2010073039.tif 000006
【図５】
2010073039.tif 000007
【図６】
2010073039.tif 000008
【図７】
2010073039.tif 000009